(57)【特許請求の範囲】
【請求項１】
第１のシリンダ錠及び第１のサムターンに連係して回転する第１のデッドハブの回転運動を第１のデッドボルトに伝達して当該第１のデッドボルトを施解錠動作させる主錠と、
前記主錠と垂直方向に並べられ、第２のシリンダ錠及び第２のサムターンに連係して回転する第２のデッドハブの回転運動を第２のデッドボルトに伝達して当該第２のデッドボルトを施解錠動作させる補助錠と、
前記第１のデッドハブと前記第２のデッドハブとの間の回転伝達を上下方向に変位するリンクの直線運動を介して行なう動力伝達機構と、
前記リンクを、前記第１のデッドハブの回転に応じて変位する第１のリンク部材と前記第２のデッドハブの回転に応じて変位する第２のリンク部材とに分離し、前記第１及び第２のデッドボルトが共に解錠位置にある状態から前記第１のデッドボルトを施錠動作させる方向に前記第１のデッドハブを回転させるときと、前記第１及び第２のデッドボルトが共に施錠位置にある状態から前記第２のデッドボルトを解錠動作させる方向に前記第２のデッドハブを回転させるときとにのみ、前記第１及び第２のリンク部材をそれらの変位方向に当接させて動力伝達を行なう第１の動力断続機構と、
前記第１のデッドハブの回転に応じて水平軸周りの規定の円弧上を変位する可動体を前記第１のリンク部材に設けた一対の当接体の互いに対面する当接面で上下から挟み、前記第１のデッドハブの回転に応じて変位する前記可動体がその変位方向に応じて上方又は下方に位置する前記当接体の当接面を押すことによって第１のリンク部材を変位させる構造を備え、前記第１のデッドボルトの施錠時には解錠している前記第１のデッドボルトを施錠させる前記第１のデットハブの回転に応じて変位する前記可動体をこの可動体が押していた前記当接面を有する一方の前記当接体から脱落させる経路に前記可動体の移動軌跡を定め、前記一方の当接体をその当接面と反対側からの前記可動体のアクセスに応じて当該可動体が前記一対の当接体の間に入り込むまで前記移動軌跡から退避する位置に変位させるようにした第２の動力断続機構と、
を備えることを特徴とする扉用の施解錠装置。
【請求項２】
前記一方の当接体は、その当接面から前記第１のリンク部材の長手方向にオフセットした位置で回転自在に前記第１のリンク部材に取り付けられている、ことを特徴とする請求項１に記載の扉用の施解錠装置。
【請求項３】
前記第１のリンク部材は、樹脂によって形成されている、ことを特徴とする請求項２に記載の扉用の施解錠装置。
【請求項４】
前記一方の当接体の回転軸方向は、前記可動体の回転軸方向と直交する方向である、ことを特徴とする請求項１ないし３のいずれか一に記載の扉用の施解錠装置。
【請求項５】
前記第２の動力断続機構は、前記一方の当接体が前記移動軌跡から退避する方向へ変位するに従い力を蓄えて当該一方の当接体に元の位置への復帰力を与える弾性部材を備える、ことを特徴とする請求項１ないし４のいずれか一に記載の扉用の施解錠装置。
【請求項６】
前記第２の動力断続機構は、前記一方の当接体の前記当接面と反対側の面を傾斜面とし、この傾斜面の側からアクセスする前記可動体を当接させることによって前記一方の当接体を前記移動軌跡から退避する位置に変位させるようにした、ことを特徴とする請求項１ないし５のいずれか一に記載の扉用の施解錠装置。
【請求項７】
前記第１のデッドハブは、前記可動体を一体的に備えている、ことを特徴とする請求項１ないし６のいずれか一に記載の扉用の施解錠装置。
【請求項８】
請求項１ないし７のいずれか一に記載の施解錠装置を戸先面に埋設した、ことを特徴とする扉。
【発明の詳細な説明】
【技術分野】
【０００１】
本発明は、主錠と補助錠とを有する扉用の施解錠装置、およびこの施解錠装置を装着した扉に関する。
【背景技術】
【０００２】
例えば住宅用扉用の施解錠装置として、一つの扉に二つの錠を装着したワンドア・ツーロック方式の施解錠装置が実用化されている。各錠は、室外側から操作するシリンダ錠と室内側から操作するサムターンとをそれぞれ有している。一般的には、一つの合鍵で二つのシリンダ錠の施解錠が可能である。
【０００３】
ワンドア・ツーロック方式の施解錠装置は、ピッキング等の不正解錠を困難にする点で極めて有効である。その反面、ワンロック方式の施解錠装置と比較して、各錠の施解錠に要する工程数が二倍となるので、正規の利用者にとっても操作が面倒である。このためか、利用者によっては、せっかくツーロック方式となっているのに、一つの錠しか施錠しないという運用を採用してしまうこともある。このようなことから、一方の錠の施解錠操作に連動させてもう一方の錠を施解錠するようにした施解錠装置が提案されている。例えば、特許文献１は、扉用の施解錠装置ではなく引戸であるサッシの施解錠装置ではあるが、ワンドア・ツーロック方式の施解錠装置において、二つの錠の施解錠操作を相互に連動させるようにした施解錠装置を開示している。
【先行技術文献】
【特許文献】
【０００４】
【特許文献１】特開平１１−０１３３２３公報
【発明の概要】
【発明が解決しようとする課題】
【０００５】
特許文献１に記載されたような二つの錠の施解錠操作を相互に連動させる方式の施解錠装置を扉用の施解錠装置に単純に適用すると、一方の錠のシリンダ錠を室外側から解錠させるだけでもう一方の錠も解錠してしまう。これではワンドア・ツーロック方式にする意味が失われ、セキュリティ性が台無しになってしまう。
【０００６】
本発明は、このような点に鑑みなされたもので、ワンドア・ツーロック方式を採用しながらも、セキュリティ性を維持したまま正規の利用者の施錠のための操作手順を簡略化できるようにすることを目的とする。
【課題を解決するための手段】
【０００７】
本発明の扉用の施解錠装置は、第１のシリンダ錠及び第１のサムターンに連係して回転する第１のデッドハブの回転運動を第１のデッドボルトに伝達して当該第１のデッドボルトを施解錠動作させる主錠と、前記主錠と垂直方向に並べられ、第２のシリンダ錠及び第２のサムターンに連係して回転する第２のデッドハブの回転運動を第２のデッドボルトに伝達して当該第２のデッドボルトを施解錠動作させる補助錠と、前記第１のデッドハブと前記第２のデッドハブとの間の回転伝達を上下方向に変位するリンクの直線運動を介して行なう動力伝達機構と、前記リンクを、前記第１のデッドハブの回転に応じて変位する第１のリンク部材と前記第２のデッドハブの回転に応じて変位する第２のリンク部材とに分離し、前記第１及び第２のデッドボルトが共に解錠位置にある状態から前記第１のデッドボルトを施錠動作させる方向に前記第１のデッドハブを回転させるときと、前記第１及び第２のデッドボルトが共に施錠位置にある状態から前記第２のデッドボルトを解錠動作させる方向に前記第２のデッドハブを回転させるときとにのみ、前記第１及び第２のリンク部材をそれらの変位方向に当接させて動力伝達を行なう第１の動力断続機構と、前記第１のデッドハブの回転に応じて水平軸周りの規定の円弧上を変位する可動体を前記第１のリンク部材に設けた一対の当接体の互いに対面する当接面で上下から挟み、前記第１のデッドハブの回転に応じて変位する前記可動体がその変位方向に応じて上方又は下方に位置する前記当接体の当接面を押すことによって第１のリンク部材を変位させる構造を備え、前記第１のデッドボルトの施錠時には解錠している前記第１のデッドボルトを施錠させる前記第１のデットハブの回転に応じて変位する前記可動体をこの可動体が押していた前記当接面を有する一方の前記当接体から脱落させる経路に前記可動体の移動軌跡を定め、前記一方の当接体をその当接面と反対側からの前記可動体のアクセスに応じて当該可動体が前記一対の当接体の間に入り込むまで前記移動軌跡から退避する位置に変位させるようにした第２の動力断続機構と、を備えることで上記課題を解決する。
本発明の扉は、上記施解錠装置を戸先面に埋設することで上記課題を解決する。
【発明の効果】
【０００８】
本発明によれば、主錠と補助錠とを非連動で解錠可能としながら解錠状態である主錠を施錠操作するだけで補助錠も施錠することができ、したがって、セキュリティ性を維持したまま正規の利用者の施錠のための操作手順を簡略化することができる。
【図面の簡単な説明】
【０００９】
【図１】実施の一形態として、主錠及び補助錠のサムターンの回転位置と共に、主錠及び補助錠が共に解錠位置にある状態を示す装置全体の側面図。
【図２】（ａ）は動力断続機構をなす第１のリンク部材の側面図、（ｂ）はその縦断背面図。
【図３】動力断続機構をなす第１のリンク部材が有している第２の動力断続機構の分解斜視図。
【図４】主錠及び補助錠のサムターンの回転位置と共に、主錠及び補助錠が共に解錠位置にある状態から、主錠のサムターンを僅かに施錠方向に回転させた状態を示す装置全体の側面図。
【図５】主錠及び補助錠のサムターンの回転位置と共に、主錠及び補助錠が共に解錠位置にある状態から、主錠のサムターンを４５度だけ施錠方向に回転させた状態を示す装置全体の側面図。
【図６】主錠及び補助錠のサムターンの回転位置と共に、主錠及び補助錠が共に解錠位置にある状態から、主錠のサムターンを４５度の位置から更に施錠方向に回転させた状態を示す装置全体の側面図。
【図７】主錠及び補助錠のサムターンの回転位置と共に、主錠及び補助錠が共に解錠位置にある状態から、主錠のサムターンを完全に施錠方向に回転させて主錠及び補助錠が共に施錠位置にある状態とした場合を示す装置全体の側面図。
【図８】主錠及び補助錠のサムターンの回転位置と共に、主錠及び補助錠が共に施錠位置にある状態（図７参照）から、主錠のサムターンを僅かに解錠方向に回転させた状態を示す装置全体の側面図。
【図９】主錠及び補助錠のサムターンの回転位置と共に、主錠及び補助錠が共に施錠位置にある状態（図７参照）から、主錠のサムターンを完全に解錠方向に回転させた状態を示す装置全体の側面図。
【図１０】主錠及び補助錠のサムターンの回転位置と共に、主錠及び補助錠が共に解錠位置にある状態（図１参照）から、補助錠のサムターンを４５度だけ施錠方向に回転させてガードロック機構を使用状態にした状態を示す装置全体の側面図。
【図１１】主錠及び補助錠のサムターンの回転位置と共に、主錠及び補助錠が共に解錠位置にある状態（図１参照）から、補助錠のサムターンを完全に施錠方向に回転させた状態を示す装置全体の側面図。
【図１２】主錠及び補助錠のサムターンの回転位置と共に、主錠及び補助錠が共に施錠位置にある状態（図７参照）から、補助錠のサムターンを４５度だけ解錠方向に回転させた状態を示す装置全体の側面図。
【図１３】主錠及び補助錠のサムターンの回転位置と共に、主錠及び補助錠が共に施錠位置にある状態（図７参照）から、補助錠のサムターンを完全に解錠方向に回転させた状態を示す装置全体の側面図。
【図１４】主錠及び補助錠のサムターンの回転位置と共に、主錠及び補助錠が共に施錠位置にある状態（図７参照）から、補助錠のサムターンを完全に解錠方向に回転させ、更に主錠のサムターンを４５度だけ解錠方法に回転させた状態を示す装置全体の側面図。
【図１５】主錠及び補助錠のサムターンの回転位置と共に、主錠及び補助錠が共に施錠位置にある状態（図７参照）から、補助錠のサムターンを完全に解錠方向に回転させ、主錠のサムターンを４５度の位置から更に解錠方法に回転させた状態を示す装置全体の側面図。
【図１６】主錠及び補助錠のサムターンの回転位置と共に、主錠及び補助錠が共に施錠位置にある状態（図７参照）から、補助錠のサムターンを完全に解錠方向に回転させ、主錠のサムターンを完全に解錠方法に回転させた状態を示す装置全体の側面図。
【図１７】別の実施の一形態として、主錠及び補助錠のサムターンの回転位置と共に、主錠及び補助錠が共に解錠位置にある状態を示す装置全体の側面図。
【図１８】主錠を拡大して、動力断続機構をなす第１のリンク部材を示す側面図。
【図１９】第１のリンク部材が有する第２の動力断続機構を分解して示す斜視図。
【発明を実施するための形態】
【００１０】
本実施の形態は、主錠１０１と補助錠２０１とを備えるワンドア・ツーロック方式の住宅扉用の施解錠装置１１への適用例である。以下、実施の一形態を図１〜図１６に基づいて説明する。
【００１１】
図１は、主錠１０１及び補助錠２０１のサムターン（第１のサムターン１０２、第２のサムターン２０２）の回転位置と共に、主錠１０１及び補助錠２０１が共に解錠位置にある状態を示す装置全体の側面図である。本実施の形態の施解錠装置１１は、扉の戸先面（図示せず）に埋設されて使用される。施解錠装置１１は、主錠１０１と補助錠２０１とが分離された構造を有しており、これらの主錠１０１と補助錠２０１とを動力伝達機構３０１で連結している。主錠１０１は上方位置に、補助錠２０１は下方位置に、それぞれ垂直方向に並べられて配置されている。
【００１２】
主錠１０１は、戸先面と同一面となるようにして扉に取り付けられる第１のベースプレート１０３を備え、この第１のベースプレート１０３に第１のフレーム１０４を固定している。第１のベースプレート１０３と第１のフレーム１０４とには、各種の構造物が取り付けられている。これらの構造物として、第１のフレーム１０４には、第１のシリンダ錠（図示せず）及び第１のサムターン１０２に連係して回転する第１のデッドハブ１０５と、この第１のデッドハブ１０５に駆動される第１のデッドボルト１０６とが取り付けられている。
【００１３】
第１のデッドボルト１０６は、第１のベースプレート１０３から出没可能なようにスライド自在に取り付けられている。そのための構造として、第１のデッドボルト１０６にはそのスライド移動方向に長い第１の長孔１０７が形成され、この第１の長孔１０７に第１のフレーム１０４に立設された第１の位置決めピン１０８が嵌合している。そして、第１のデッドボルト１０６は、第１の長孔１０７と嵌合している第１の位置決めピン１０８と、第１のフレーム１０４とによって水平方向にスライド自在に支持されている。これにより、第１のデッドボルト１０６は、第１の位置決めピン１０８に位置を拘束されながら水平方向にスライド移動自在である。このような第１のデッドボルト１０６は、その上部に第１の凹部１０９を形成している。
【００１４】
第１のデッドハブ１０５は、第１のデッドボルト１０６のスライド移動方向と直交する方向の回転軸を中心に回転自在に取り付けられている。このような第１のデッドハブ１０５の回転軸の方向は、施解錠装置１１が装着される扉（図示せず）の厚み方向となる。第１のデッドハブ１０５は、第１のデッドボルト１０６の上部に形成された第１の凹部１０９に嵌り込む駆動ピン１１０を有する第１の駆動片１１１を放射方向に突出させている。そこで、第１のデッドハブ１０５の回転に応じて第１の駆動片１１１が変位し、この第１の駆動片１１１を第１の凹部１０９に嵌め込んでいる第１のデッドボルト１０６が第１のベースプレート１０３から出没するようにスライド移動する。なお、駆動ピン１１０には第１のデッドハブ１０５に施錠もしくは解錠方向に付勢力を与えるスプリング（図示せず）が取付けられている。
【００１５】
第１のデッドボルト１０６において、第１のベースプレート１０３から飛び出た位置は施錠位置であり、第１のベースプレート１０３に没した位置は解錠位置である。第１のサムターン１０２は、その摘み１０２ａを垂直向きにすると第１のデッドボルト１０６を解錠位置に位置付け（図１参照）、その位置から摘み１０２ａを時計方向に９０度回して水平向きにすると第１のデッドボルト１０６を施錠位置に位置付ける（図７参照）。この際、第１のサムターン１０２の回転角度と第１のデッドハブ１０５の回転角度とは一致する。したがって、第１のデッドボルト１０６は、第１のデッドハブ１０５を９０度回転させることによって施解錠される。
【００１６】
以上説明した主錠１０１は、更に、第１のベースプレート１０３にラッチボルト１１２を取り付けている。ラッチボルト１１２は、扉を開閉自在に取り付ける枠体（図示せず）に引っ掛けることができる掛け金であり、扉を閉状態に維持する。
【００１７】
補助錠２０１は、戸先面と同一面となるようにして扉に取り付けられる第２のベースプレート２０３を備え、この第２のベースプレート２０３に第２のフレーム２０４を固定している。第２のベースプレート２０３と第２のフレーム２０４とには、各種の構造物が取り付けられている。これらの構造物として、第２のフレーム２０４には、第２のシリンダ錠（図示せず）及び第２のサムターン２０２に連係して回転する第２のデッドハブ２０５と、この第２のデッドハブ２０５に駆動される第２のデッドボルト２０６とが取り付けられている。
【００１８】
第２のデッドボルト２０６は、第２のベースプレート２０３から出没可能なようにスライド自在に取り付けられている。そのための構造として、第２のデッドボルト２０６にはそのスライド移動方向に長い第２の長孔２０７が形成され、この第２の長孔２０７に第２のフレーム２０４に立設された第２の位置決めピン２０８が嵌合している。そして、第２のデッドボルト２０６は、第２のフレーム２０４によって水平方向にスライド自在に支持されている。これにより、第２のデッドボルト２０６は、第２の位置決めピン２０８に位置を拘束されながら水平方向にスライド移動自在である。このような第２のデッドボルト２０６は、その上部に第２の凹部２１０を形成している。
【００１９】
第２のデッドハブ２０５は、第２のデッドボルト２０６のスライド移動方向と直交する方向の軸を中心に回転自在に取り付けられている。このような第２のデッドハブ２０５の回転軸の方向は、施解錠装置１１が装着される扉（図示せず）の厚み方向となる。第２のデッドハブ２０５は、第２のデッドボルト２０６の上部に形成された第２の凹部２１０に嵌り込む第２の駆動片２１１を放射方向に突出させている。そこで、第２のデッドハブ２０５の回転に応じて第２の駆動片２１１が変位し、この第２の駆動片２１１を第２の凹部２１０に嵌め込んでいる第２のデッドボルト２０６が第２のベースプレート２０３から出没するようにスライド移動する。
【００２０】
第２のデッドボルト２０６において、第２のベースプレート２０３から飛び出た位置は施錠位置であり、第２のベースプレート２０３に没した位置は解錠位置である。第２のサムターン２０２は、その摘み２０２ａを垂直向きにすると第２のデッドボルト２０６を解錠位置に位置付け（図１参照）、その位置から摘み２０２ａを時計方向に９０度回して水平向きにすると第２のデッドボルト２０６を施錠位置に位置付ける（図７参照）。この際、第２のサムターン２０２の回転角度と第２のデッドハブ２０５の回転角度とは一致する。したがって、第２のデッドボルト２０６は、第２のデッドハブ２０５を９０度回転させることによって施解錠される。
【００２１】
ここで、主錠１０１においては、第１のデッドボルト１０６の第１の凹部１０９は、第１のデッドハブ１０５が有する第１の駆動片１１１を僅かな遊びをもって嵌合させている。これにより、第１のデッドボルト１０６は、第１のデッドハブ１０５の回転に僅かなタイムラグの後に呼応してスライド移動を開始する。
【００２２】
これに対して、補助錠２０１は、第２のデッドボルト２０６の第２の凹部２１０と第２のデッドハブ２０５が有する第２の駆動片２１１との間に間欠機構２１２を形成している。間欠機構２１２は、解錠位置にある第２のデッドボルト２０６を施錠動作させる第２のデッドハブ２０５の回転初期領域に第２のデッドボルト２０６を動作させない無反応領域を形成する。そのための構造として、第２の駆動片２１１は、第２のベースプレート２０３の方向に対面する一側面に出現側押圧面２１１ａを形成し、その他側面に没側押圧面２１１ｂを形成している。そして、第２の凹部２１０は、第２の駆動片２１１の出現側押圧面２１１ａに押される面に出現側受面２１０ａを形成し、第２の駆動片２１１の没側押圧面２１１ｂに押される面に没側受面２１０ｂを形成している。出現側受面２１０ａおよび没側受面２１０ｂは垂直に切り立っている。また、没側受面２１０ｂに連続して円弧面２１０ｃが第２の駆動片２１１の回転弧と同一半径の弧に沿って形成されている。そこで、第２のデッドボルト２０６は、没側押圧面２１１ｂにより没側受面２１０ｂが押されることで解錠位置までスライド移動し、出現側押圧面２１１ａに出現側受面２１０ａが押されることで施錠位置までスライド移動する。この際、第２の凹部２１０と連設する円弧面２１０ｃは第２の駆動片２１１の没側押圧面２１１ｂと同一半径の弧に沿って形成されているため、第２の駆動片２１１が回転し始めても、没側押圧面２１１ｂが円弧面２１０ｃを摺動している間は第２のデッドボルト２０６が駆動されない。第２のデッドボルト２０６は、第２の駆動片２１１の出現側押圧面２１１ａが第２の凹部２１０の出現側受面２１０ａに当接して初めて駆動される。こうして、解錠位置にある第２のデッドボルト２０６を施錠動作させる第２のデッドハブ２０５の回転初期領域に第２のデッドボルト２０６を動作させない無反応領域を形成することができる。
【００２３】
次いで、補助錠２０１は、ガードロック機構２１３を備えている。ガードロック機構２１３というのは、扉を開閉自在に取り付ける枠体（図示せず）に引っ掛かるガードアーム２１４を有し、間欠機構２１２によって形成される無反応領域での第２のデッドハブ２０５の回転に応じて第２のデッドボルト２０６の施錠時の突出方向と同一方向にガードアーム２１４を出現させる機構である。
【００２４】
より詳細には、ガードアーム２１４は、扉の枠体に引っ掛かる連結ピン２１５が先端部に設けられた平板状部材であり、根元部分の端部はブロック状の基部２１６に固定されている。ガードアーム２１４の基部２１６は、第２のフレーム２０４に、第２のデッドハブ２０５の上方位置で第２のデッドハブ２０５の回転軸と平行な回転軸を中心に回転自在に取り付けられている。したがって、ガードアーム２１４は、基部２１６が回転することによって第２のベースプレート２０３から出没自在となっている。
【００２５】
このようなガードアーム２１４は、第２のベースプレート２０３の裏面側に形成された収納空間Ｓに収納され、第２のフレーム２０４に取り付けられた押圧体２１７に押されることによって回転し、第２のベースプレート２０３から出現する。説明の便宜上、収納空間Ｓに収納された押圧体２１７の位置を収納位置と呼ぶ。押圧体２１７は、第２のフレーム２０４において水平方向に移動自在に取り付けられており、第２のベースプレート２０３に向けて進退する。押圧体２１７を進退させる原動力は、第２のデッドハブ２０５の回転である。つまり、第２のデッドハブ２０５は、その回転軸を中心に回転するカム円板２１８を有しており、このカム円板２１８にはカム溝２１９が切られている。そして、このカム溝２１９には、押圧体２１７に設けられた従動ピン２２０が嵌合している。第２のデッドハブ２０５のカム溝２１９は、第２のデッドボルト２０６を解錠位置に位置付ける第２のデッドハブ２０５の回転位置において押圧体２１７を待機させ、その位置から第２のデッドハブ２０５が４５度回転した時点で押圧体２１７を第２のベースプレート２０３に向けて最大限進出させることができるカムプロフィールを有している（図５参照）。そして、カム溝２１９は、その一端が開口しており、４５度回転した位置から第２のデッドハブ２０５が更に回転した場合、その開口から押圧体２１７の従動ピン２２０を脱落させる。第２のデッドハブ２０５は、カム溝２１９から脱落した従動ピン２２０をカム円板２１８の外周面で位置決めし、４５度回転位置から最大回転範囲である９０度回転するまで押圧体２１７を最大進出位置に維持する（図６参照）。ガードアーム２１４は、押圧体２１７が最大限進出すると、連結ピン２１５が扉の枠体に引っ掛かる位置まで第２のベースプレート２０３から飛び出す。したがって、第２のデッドボルト２０６が解錠位置に位置する状態で第２のサムターン２０２を４５度回すと、連結ピン２１５が扉の枠体に引っ掛かる位置までガードアーム２１４を突出させることができる（図５参照）。
【００２６】
押圧体２１７は、その従動ピン２２０がカム溝２１９に沿って移動することから、第２のデッドハブ２０５の回転に従い進退する。そこで、第２のデッドボルト２０６を解錠位置に位置付ける位置まで第２のデッドハブ２０５を回転させれば、押圧体２１７を元の位置に復帰させることができる。ところが、押圧体２１７を元の位置に復帰させただけでは、ガードアーム２１４を収納空間Ｓに収納される収納位置に復帰させることができない。そこで、補助錠２０１は、押圧体２１７とガードアーム２１４の基部２１６とを復帰カム２２１で連動させている。つまり、復帰カム２２１は、基部２１６の回転軸と平行な回転軸を中心に回動自在に第２のフレーム２０４に取り付けられ、一端が押圧体２１７の後面に接して別の一端が基部２１６の下面に接するように設けられている。そこで、図１、図４〜図１６中、押圧体２１７にガードアーム２１４が押されることで基部２１６が時計方向に回転すると、基部２１６の下面に押されて復帰カム２２１も時計方向に回転し、復帰カム２２１は押圧体２１７の後面に対する接触状態を維持する。この状態で、押圧体２１７が元の位置に向けて復帰すると、復帰カム２２１は押圧体２１７の後面に押されて反時計方向に回転し、基部２１６を反時計方向に回転させる。これにより、押圧体２１７の復帰動作に従動させてガードアーム２１４を収納位置に復帰させることができる。
【００２７】
補助錠２０１は、更に、安全装置２２２を備えている。安全装置２２２は、施解錠装置１１が装着された扉（図示せず）が閉じられている場合にのみ主錠１０１及び補助錠２０１の施錠動作及びガードロック機構２１３の動作を可能とし、扉が開かれている場合にはそれらの動作をできないようにするための機構である。つまり、安全装置２２２は、扉開閉検出スイッチ２２３とデッドハブ回転規制部材２２４とを有している。扉開閉検出スイッチ２２３は、第２のベースプレート２０３に出没自在に取り付けられている。そして、扉開閉検出スイッチ２２３は、施解錠装置１１が装着される扉（図示せず）が開かれることで第２のベースプレート２０３から飛び出し、扉が閉じられると第２のベースプレート２０３に没するよう後退する。
【００２８】
デッドハブ回転規制部材２２４は、図示しないスプリングに付勢されて、図１、図４〜図１６中、時計方向に回転する。そして、第２のデッドハブ２０５のカム円板２１８から突出する規制ピン２２５にフック２２４ａを引っ掛け、第２のデッドハブ２０５の時計方向への回転、つまり、第２のデッドボルト２０６を施錠方向に駆動し、ガードロック機構２１３を動作させる方向への回転を規制する。この際、第２のデッドハブ２０５の時計方向への回転が規制されると、後に詳細を説明する動力伝達機構３０１によって補助錠２０１と連結された主錠１０１においても、第１のデッドボルト１０６を施錠方向に駆動する第１のデッドハブ１０５の回転も規制される。これに対して、デッドハブ回転規制部材２２４は、扉開閉検出スイッチ２２３の後面に当接する作用部２２４ｂを有しており、扉開閉検出スイッチ２２３の後退に伴い作用部２２４ｂが押されて反時計方向に回転する。すると、第２のデッドハブ２０５の規制ピン２２５からフック２２４ａが離脱し、第２のデッドハブ２０５の時計方向への回転規制が解除される。こうして、安全装置２２２は、施解錠装置１１が装着された扉（図示せず）が閉じられた場合、主錠１０１及び補助錠２０１の施錠動作及びガードロック機構２１３の動作を可能とする。
【００２９】
動力伝達機構３０１は、主錠１０１が有する第１のデッドハブ１０５と補助錠２０１が有する第２のデッドハブ２０５との間の回転伝達を、上下に変位するリンク３０２の直線運動を介して行なう。つまり、動力伝達機構３０１は、第１のデッドハブ１０５及び第２のデッドハブ２０５の回転運動をリンク３０２の直線運動に変換する。そこで、第１のデッドハブ１０５が回転するとリンク３０２が上下方向に変位し、このリンク３０２の上下方向の直線運動によって第２のデッドハブ２０５が回転駆動される。このため、理論上は、第２のデッドハブ２０５の回転もリンク３０２を介して第１のデッドハブ１０５に伝達されるはずであるのに対して、この方向の動力伝達は規制される。こうした規制を行なうのは、動力断続機構３０３である。動力断続機構３０３は、動力伝達機構３０１による回転伝達に回転伝達区間と回転非伝達区間とを選択的に生成する。より詳細には、動力断続機構３０３は、第１のデッドボルト１０６及び第２のデッドボルト２０６が共に解錠位置にある状態（図１参照）から施錠方向への第１のデッドハブ１０５の回転を第２のデッドハブ２０５に伝達する場合の回転伝達については回転伝達区間を選択し、それ以外の条件の回転伝達については回転非伝達区間を選択する。以下、動力断続機構３０３の説明と共に動力伝達機構３０１について詳細に説明する。
【００３０】
動力断続機構３０３は、第１の動力断続機構３３１と第２の動力断続機構３５１とを有している。
【００３１】
第１の動力断続機構３３１は、リンク３０２を二つに分離する。分離された一方は第１のデッドハブ１０５に連動する第１のリンク部材３０２ａであり、もう一方は第２のデッドハブ２０５に連動する第２のリンク部材３０２ｂである。第１の動力断続機構３３１は、第１のリンク部材３０２ａと第２のリンク部材３０２ｂとをリンク３０２の変位方向である垂直方向に接離自在とし、一定の条件でのみ連動させる機構となっている。一定の条件というのは、
（条件１）
第１のデッドボルト１０６及び第２のデッドボルト２０６が共に解錠位置にある状態から第１のデッドボルト１０６を施錠動作させる第１のデッドハブ１０５の回転の際
（条件２）
第１のデッドボルト１０６及び第２のデッドボルト２０６が共に施錠位置にある状態から第２のデッドボルト２０６を解錠動作させる第２のデッドハブ２０５の回転の際
のいずれかの場合である。第１のリンク部材３０２ａと第２のリンク部材３０２ｂとが当接した状態においては、第１のリンク部材３０２ａと第２のリンク部材３０２ｂとの間で相互に動力伝達が可能となる。
【００３２】
第２の動力断続機構３５１は、第１のデッドハブ１０５と第１のリンク部材３０２ａとを連結させ、第１のデッドハブ１０５の回転に応じた第１のリンク部材３０２ａへの動力伝達を制御するための機構である。この第２の動力断続機構３５１は、第１のデッドハブ１０５に設けた第１の駆動片１１１に設けた可動ピン３５２（可動体）を、第１のリンク部材３０２ａに設けた一対の当接体３５３で上下から挟んだだけの、極めてシンプルな機構である。可動ピン３５２は、第１のデッドハブ１０５の回転に応じて水平軸周りの規定の円弧上を変位する。一対の当接体３５３は、可動ピン３５２の移動軌跡上に位置している。したがって、第１のデッドハブ１０５の回転に応じて可動ピン３５２が変位すると、可動ピン３５２が当接体３５３を押して第１のリンク部材３０２ａを垂直方向に変位させる。
【００３３】
もっとも、第２の動力断続機構３５１は、解錠している第１のデッドボルト１０６を施錠させる第１のデッドハブ１０５の回転に応じて可動ピン３５２が変位する際、この可動ピン３５２が当接する一方の当接体３５３（以下、可動当接体３５３ａという）を、第１のデッドボルト１０６が完全に施錠されたときに、可動ピン３５２の移動軌跡から外れた位置に位置させる。換言すると、第１のデッドボルト１０６が完全に施錠された状態になると、第１のデッドハブ１０５の側に設けられた可動ピン３５２は、可動当接体３５３ａから脱落する（図７参照）。これによって、第２の動力断続機構３５１は、上記（条件２）では、第１のデッドハブ１０５と第１のリンク部材３０２ａとの間の動力伝達を遮断する。その結果、動力断続機構３０３は、上記（条件１）の場合にのみ、換言すると、第１のデッドボルト１０６及び第２のデッドボルト２０６が共に解錠位置にある状態（図１参照）から第１のデッドハブ１０５が施錠方向に回転した場合にのみ、動力伝達機構３０１を介して第１のデッドハブ１０５と第２のデッドハブ２０５との間の回転を伝達し、それ以外の条件の回転伝達については回転を非伝達とすることになる。したがって、主錠１０１と補助錠２０１とが共に解錠状態にある条件で、主錠１０１を施錠した場合にのみ、補助錠２０１も自動施錠されることになる。
【００３４】
前述したように、第１のデッドボルト１０６が完全に施錠されたとき、第１のデッドハブ１０５の側に設けられた可動ピン３５２は、可動当接体３５３ａから脱落する。このとき、第１のデッドボルト１０６及び第２のデッドボルト２０６は、共に施錠状態にあるわけであるが（図７参照）、補助錠２０１を解錠するために第２のサムターン２０２を反時計方向に回転させると、第２のデッドハブ２０５も反時計方向に回転して第２のデッドボルト２０６のみを解錠状態にすることができる（図１３参照）。すると、この際、可動ピン３５２が可動当接体３５３ａから脱落したまま第１のリンク部材３０２ａを上昇させることになるので、可動ピン３５２は一対の当接体３５３の間の位置から外れ、可動当接体３５３ａよりも下方に位置付けられることになる。このときに困るのが、主錠１０１も解錠しようとして第１のサムターン１０２を反時計方向に回転させた場合である。この場合、第１のデッドハブ１０５も反時計方向に回転するので、可動ピン３５２が上昇する。ところが、この際の可動ピン３５２の移動軌跡上には可動当接体３５３ａが位置し、可動ピン３５２の移動を妨げる。そこで、本実施の形態では、可動当接体３５３ａを出没自在とし、可動ピン３５２を当接させる可動当接面３５３ａ−１（当接面）と反対側からの可動ピン３５２のアクセスに応じて可動ピン３５２が一対の当接体３５３の間に入り込むまで、可動当接体３５３ａを可動ピン３５２の移動軌跡から退避させるようにしている（図１３〜図１５参照）。
【００３５】
以上説明したような機能を有する動力断続機構３０３について、その構造をより詳細に説明する。
【００３６】
まず、第１の動力断続機構３３１の構造について説明する。
【００３７】
第１のリンク部材３０２ａは、第２のリンク部材３０２ｂにスライド自在に保持されている。つまり、第２のリンク部材３０２ｂは、側面から見るとコの字形状をした支持体３３２をその端部に備え、この支持体３３２で第１のリンク部材３０２ａの端部をスライド自在に保持している。第１のリンク部材３０２ａは、その下方の位置に当接部３３３を有している。当接部３３３は、第１のリンク部材３０２ａの変位方向と直交する平面である。第２のリンク部材３０２ｂの側の支持体３３２は、当接部３３３を当接させることができる当接面３３４を形成している。したがって、第１の動力断続機構３３１は、第１のリンク部材３０２ａと第２のリンク部材３０２ｂとを相互にスライド移動自在に連結し、当接面３３４に当接部３３３が当接する状態と当接面３３４から当接部３３３が離反する状態とを生成する。このような当接面３３４に対する当接部３３３の接離は、前述した第１のリンク部材３０２ａと第２のリンク部材３０２ｂとの間の接離をなす。
【００３８】
第２のリンク部材３０２ｂは、第１のリンク部材３０２ａとの連結側と反対側の端部において、ラックアンドピニオン機構３３５を介して第２のデッドハブ２０５と連結している。つまり、第２のリンク部材３０２ｂは、第１のリンク部材３０２ａとの連結側と反対側の端部に、第２のデッドハブ２０５と対面させてラック３３６を形成している。第２のデッドハブ２０５は、その外周面の一部にラック３３６に噛合するピニオン３３７を形成している。
【００３９】
次いで、第２の動力断続機構３５１の構造について、図２（ａ）、（ｂ）及び図３を参照しながら説明する。
【００４０】
図２（ａ）は、動力断続機構３０３をなす第１のリンク部材３０２ａの側面図である。図２（ｂ）は、その縦断背面図である。第１のリンク部材３０２ａは、基体３０４とスライド連結部３０５とを一体に成形した樹脂成形品である。このようなスライド連結部３０５は、一例として、樹脂を材料とする射出成形によって製造される。このような第１のリンク部材３０２ａのうち、第２のリンク部材３０２ｂにスライド自在に保持されるのは、スライド連結部３０５の部分であり、このスライド連結部３０５は基体３０４の下端側に形成されている。基体３０４は、その下端面を当接部３３３としており、第２のリンク部材３０２ｂの当接面３３４との当接に供される。このような基体３０４は、中央部分に複数個のリブ３０６を有している。これらのリブ３０６は、第１のリンク部材３０２ａの強度を維持している。
【００４１】
第２の動力断続機構３５１の重要な構成要素である前述した一対の当接体３５３は、基体３０４の上部に設けられている。一方の当接体３５３は、可動当接体３５３ａとして、基体３０４の先端部底面に出没自在に設けられている。もう一方の当接体３５３は、基体３０４の上端を形成する壁によって形成された固定構造物である。こちらの方の当接体３５３を固定当接体３５３ｂと呼ぶ。可動当接体３５３ａと固定当接体３５３ｂとの互いに対面する面は、それぞれ、可動当接面３５３ａ−１及び固定当接面３５３ｂ−１となっており、これらの間の部分に第１のデッドハブ１０５の側に設けられた可動ピン３５２を位置付ける。
【００４２】
図３は、動力断続機構３０３をなす第１のリンク部材３０２ａが有している第２の動力断続機構３５１の分解斜視図である。図３に示すように、固定当接体３５３ｂと対をなす可動当接体３５３ａは、第１のリンク部材３０２ａの基体３０４と別体に形成された駒状のものであり、基体３０４に回転自在に取り付けられている。つまり、基体３０４には、固定当接体３５３ｂの近傍に位置させて、可動当接体３５３ａを取り付けるための取付孔３０７が形成されている。この取付孔３０７は、固定当接体３５３ｂには連絡しておらず、この固定当接体３５３ｂとの間の部分にストッパ保持片３０８を形成している。基体３０４の側壁は、取付孔３０７の形成によって縁部分が外部に露出しており、この縁部分に一対の軸ホルダ３０９が形成されている。これらの軸ホルダ３０９は、可動当接体３５３ａに形成された回転軸３５４を回転自在に保持するためのもので、開口部３０９ａがやや絞られたＵ字形状に形成されている。開口部３０９ａがやや絞られているのは、保持した可動当接体３５３ａの回転軸３５４を抜け止めするためである。したがって、開口部３０９ａの直径は、回転軸３５４の直径よりも僅かに小径に形成されている。このため、回転軸３５４を小径の開口部３０９ａに通すための工夫が必要となる。この工夫が、一対の取付孔３０７に隣接して基体３０４の側壁に形成された一対の逃し溝３１０である。これらの逃し溝３１０は、軸ホルダ３０９の開口部３０９ａに回転軸３５４を通すに際して、基体３０４の側壁を撓ませ、軸ホルダ３０９に対する回転軸３５４の差し込みを容易にする。
【００４３】
可動当接体３５３ａは、一面側に可動当接面３５３ａ−１を有し、反対の面側に傾斜面３５３ａ−２を有している。可動当接面３５３ａ−１は垂直に切り立ち、傾斜面３５３ａ−２はなだらかな曲面を描いている。可動当接面３５３ａ−１の根元には、この可動当接面３５３ａ−１と直交方向に延びるストッパ片３５５が形成されている。傾斜面３５３ａ−２の根元には、可動当接体３５３ａの回転軸３５４が形成されている。回転軸３５４は、可動当接体３５３ａの両側部よりも外側方向に突出している。
【００４４】
可動当接体３５３ａを第１のリンク部材３０２ａに取り付けるには、まず、取付孔３０７から臨む基体３０４の底面に形成されたばね孔３１１に、圧縮コイルスプリングである弾性部材３５６をセットする。次いで、固定当接体３５３ｂの方向にストッパ片３５５を向け、このストッパ片３５５を取付孔３０７に差し込み、ストッパ保持片３０８の裏側に位置付ける。そして、可動当接体３５３ａの回転軸３５４を軸ホルダ３０９に差し込む。これによって、可動当接体３５３ａは、回転軸３５４を中心に回転自在に第１のリンク部材３０２ａに保持され、弾性部材３５６によって第１のリンク部材３０２ａから飛び出す方向に付勢され、ストッパ片３５５がストッパ保持片３０８に位置規制されることで飛び出しが規制される。そして、可動当接体３５３ａを押すと、可動当接体３５３ａは弾性部材３５６の付勢力に抗して奥に引っ込む。
【００４５】
ここで、図１に示すように、可動当接体３５３ａにおいて、その可動当接面３５３ａ−１の位置とその回転軸３５４の位置とは、第１のリンク部材３０２ａの長手方向にずれている。つまり、可動当接体３５３ａは、可動当接面３５３ａ−１から第１のリンク部材３０２ａの長手方向にオフセットした位置で回転自在に第１のリンク部材３０２ａに取り付けられている。このようなオフセット配置の技術的意義については後述する。
【００４６】
また、可動当接体３５３ａの回転軸３５４の軸方向は、可動ピン３５２の回転軸である第１のデッドハブ１０５の回転軸方向と直交する方向に定められている。これにより、可動ピン３５２の移動軌跡と可動当接体３５３ａの移動軌跡とが交差方向になる。このような可動当接体３５３ａの取り付け方向の技術的意義については後述する。
【００４７】
このような構成において、本実施の形態の施解錠装置１１は、所定の条件でのみ、主錠１０１を施錠操作すると補助錠２０１も自動的に施錠することができる。これを実現するのが、主錠１０１の第１のデッドボルト１０６を施解錠するための第１のデッドハブ１０５の回転を補助錠２０１の第２のデッドボルト２０６を施解錠するための第２のデッドハブ２０５に回転伝達するための動力伝達機構３０１である。そして、動力伝達機構３０１での動力伝達を所定の条件に限定するのが、動力断続機構３０３である。表１は、主錠１０１と補助錠２０１との現在の状態とこの現在の状態からの状態遷移に際して、動力断続機構３０３をなす第１の動力断続機構３３１と第２の動力断続機構３５１との動力伝達状態とこれに対応する主錠１０１と補助錠２０１との間の連動状態とを対応させて示している。表１は、これに合わせて、対応する図面の図番も表記している。
【００４８】
【表１】
0005380635.tif 000002
【００４９】
表１に示すように、主錠１０１の第１のデッドハブ１０５と補助錠２０１の第２のデッドハブ２０５とを動力伝達機構３０１を介して連動させることができるのは、主錠１０１と補助錠２０１とが共に解錠状態である場合に、主錠１０１を施錠操作した場合のみである。したがって、本実施の形態の施解錠装置１１は、
（１）主錠１０１を施錠操作すると補助錠２０１も自動的に施錠することができる。
（２）施錠されている主錠１０１、補助錠２０１を解錠する際には、両者非連動となる。
（３）補助錠２０１は主錠１０１と非連動で施解錠することができる。
という特徴を有している。以下、各図に基づいて作用効果を説明する。
【００５０】
図１は、表１中のパターン１の状態を示している。つまり、主錠１０１及び補助錠２０１とも解錠された状態にある。
【００５１】
図４は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を僅かに施錠方向に回転させた状態を示している（表１中、パターン１の「主錠→施錠」参照）。これにより、第１のデッドハブ１０５の第１の駆動片１１１は、第１の凹部１０９における嵌合遊び分だけ回転する。このため、第１のデッドボルト１０６は駆動させず、解錠状態を維持する。また、第１のデッドハブ１０５の第１の駆動片１１１が僅かに時計方向に回転し、この第１の駆動片１１１に設けられた可動ピン３５２が固定当接体３５３ｂの固定当接面３５３ｂ−１に接する位置から可動当接体３５３ａの可動当接面３５３ａ−１に接する位置に変位する。これにより、可動ピン３５２が第１のリンク部材３０２ａを押し下げる準備が整う。
【００５２】
図５は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を４５度だけ施錠方向に回転させた状態を示している（表１中、パターン１の「主錠→施錠」参照）。第１のサムターン１０２を４５度まで回すと、第１のデッドハブ１０５も４５度回転する。すると、第１のデッドボルト１０６が第１の駆動片１１１に駆動されて施錠方向に変位する。但し、完全に施錠状態にはならない。また、第１のデッドハブ１０５が４５度回転すると、可動ピン３５２が可動当接体３５３ａの可動当接面３５３ａ−１に当接して第１のリンク部材３０２ａを押し下げる。
【００５３】
すると、第１のリンク部材３０２ａの端部に設けられている当接部３３３が第２のリンク部材３０２ｂに設けられている当接面３３４に当接し、第２のリンク部材３０２ｂを押し下げる。これにより、第２のリンク部材３０２ｂの直線運動がラックアンドピニオン機構３３５によって回転運動に変換され、第２のデッドハブ２０５が回転駆動される。
【００５４】
この際、第２のデッドハブ２０５は４５度だけ回転する。このため、第２の駆動片２１１は第２の凹部２１０内を変位し、第２のデッドボルト２０６を駆動することがない。したがって、第２のデッドボルト２０６は解錠状態を維持する。
【００５５】
これに対して、第２のデッドハブ２０５の４５度の回転によって、ガードロック機構２１３が動作する。つまり、収納位置に位置するガードアーム２１４が第２のベースプレート２０３から飛び出し、施解錠装置１１が装着されている扉の枠体（図示せず）に引っ掛かる。このようなガードロック機構２１３の作用については、前述したとおりである。
【００５６】
図６は、主錠１０１及び補助錠２０１のサムターン（第１のサムターン１０２、第２のサムターン２０２）の回転位置と共に、主錠１０１及び補助錠２０１が共に解錠位置にある状態から、主錠１０１の第１のサムターン１０２を４５度の位置から更に施錠方向に回転させた状態を示している（表１中、パターン１の「主錠→施錠」参照）。図６に示すように、第１のサムターン１０２を４５度の位置から更に施錠方向に回すと、第１のデッドハブ１０５も４５度の位置から更に回転する。これにより、可動ピン３５２が可動当接体３５３ａの可動当接面３５３ａ−１に当接して第１のリンク部材３０２ａを更に押し下げる。ただし、ここで重要なことは、第１のサムターン１０２を完全に施錠方向に回転させない限り、可動当接体３５３ａの可動当接面３５３ａ−１から可動ピン３５２が脱落しないということである。このことについては、図７に基づいて、次に詳しく説明する。
【００５７】
図７は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を完全に施錠方向に回転させて主錠１０１及び補助錠２０１が共に施錠位置にある状態とした場合を示している（表１中、パターン１の「主錠→施錠」、パターン４参照）。第１のサムターン１０２を９０度まで回すと、第１のデッドハブ１０５も９０度回転する。すると、第１のデッドボルト１０６が第１の駆動片１１１に駆動されて施錠方向に更に変位し、完全に施錠状態となる。また、第１のデッドハブ１０５が９０度回転すると、可動ピン３５２が可動当接体３５３ａの可動当接面３５３ａ−１に当接して第１のリンク部材３０２ａを押し下げ、最終的に可動ピン３５２が可動当接面３５３ａ−１から脱落する。これは、可動ピン３５２の移動軌跡と第１のリンク部材３０２ａの変位に応じた可動当接面３５３ａ−１の位置との関係によって実現される。
【００５８】
この際、第１のリンク部材３０２ａの端部に設けられている当接部３３３が第２のリンク部材３０２ｂに設けられている当接面３３４を更に押し下げる。これにより、第２のリンク部材３０２ｂの直線運動がラックアンドピニオン機構３３５によって回転運動に変換され、第２のデッドハブ２０５が更に回転駆動される。ここに至って、第２の駆動片２１１の出現側押圧面２１１ａが第２の凹部２１０の出現側受面２１０ａを押すことで第２のデッドボルト２０６が駆動され、第２のデッドボルト２０６は解錠状態から施錠状態に状態遷移する。
【００５９】
以上、図１、図４〜図７を参照して説明したように、主錠１０１及び補助錠２０１が共に解錠状態である場合には、主錠１０１を施錠させると補助錠２０１も自動的に施錠することができる。したがって、正規の利用者の施錠のための操作手順を簡略化することができる。
【００６０】
図８は、主錠１０１及び補助錠２０１のサムターン（第１のサムターン１０２、第２のサムターン２０２）の回転位置と共に、主錠１０１及び補助錠２０１が共に施錠位置にある状態（図７参照）から主錠１０１の第１のサムターン１０２を僅かに解錠方向に回転させた状態を示している（表１中、パターン４の「主錠→解錠」参照）。これにより、第１のデッドハブ１０５の第１の駆動片１１１は、第１の凹部１０９における嵌合遊び分だけ回転する。このため、第１のデッドボルト１０６は駆動させず、施錠状態を維持する。また、第１のデッドハブ１０５の第１の駆動片１１１が僅かに反時計方向に回転し、可動当接体３５３ａの可動当接面３５３ａ−１から脱落していた可動ピン３５２が可動当接体３５３ａを超えて固定当接体３５３ｂの固定当接面３５３ｂ−１に近接するまで変位する。この際、可動ピン３５２は、再び、可動当接体３５３ａと固定当接体３５３ｂとの間に挟まれた状態を維持し、第１のリンク部材３０２ａを押し上げる準備が整う。
【００６１】
図９は、主錠１０１及び補助錠２０１のサムターン（第１のサムターン１０２、第２のサムターン２０２）の回転位置と共に、主錠１０１及び補助錠２０１が共に施錠位置にある状態（図７参照）から主錠１０１の第１のサムターン１０２を完全に解錠方向に回転させた状態を示している（表１中、パターン４の「主錠→解錠」、パターン２参照）。第１のサムターン１０２を解錠位置まで９０度回すと、第１のデッドハブ１０５も９０度回転する。すると、第１のデッドボルト１０６が第１の駆動片１１１に駆動されて解錠方向に変位し、完全に解錠状態となる。
【００６２】
また、第１のデッドハブ１０５が９０度回転すると、第１の駆動片１１１に設けられている可動ピン３５２が固定当接体３５３ｂの固定当接面３５３ｂ−１に当接し、第１のリンク部材３０２ａを押し上げる。
【００６３】
図１０は、主錠１０１及び補助錠２０１のサムターン（第１のサムターン１０２、第２のサムターン２０２）の回転位置と共に、主錠１０１及び補助錠２０１が共に解錠位置にある状態（図１参照）から補助錠２０１の第２のサムターン２０２を４５度だけ施錠方向に回転させてガードロック機構２１３を使用状態にした状態を示している（表１中、パターン１の「補助錠→施錠」参照）。これにより、ガードロック機構２１３を使用状態にすることができる。この点については前述した通りなので、これ以上の説明は省略する。
【００６４】
これに対して、第２のサムターン２０２の回転に伴い第２のデッドハブ２０５も４５度だけ回転するわけであるが、この際、第２の駆動片２１１は第２の凹部２１０内を変位し、第２のデッドボルト２０６を駆動することがない。したがって、第２のデッドボルト２０６は解錠状態を維持する。
【００６５】
また、第２のデッドハブ２０５の４５度の回転はラックアンドピニオン機構３３５を介して第２のリンク部材３０２ｂに伝達され、第２のリンク部材３０２ｂを下方に変位させる。ところが、この際、第２のリンク部材３０２ｂに設けられている当接面３３４は、第１のリンク部材３０２ａに設けられている当接部３３３から離反するのみである。したがって、第２のデッドハブ２０５の回転は第１の動力断続機構３３１において非伝達状態となり、第１のデッドハブ１０５に伝達されない。
【００６６】
図１１は、主錠１０１及び補助錠２０１のサムターン（第１のサムターン１０２、第２のサムターン２０２）の回転位置と共に、主錠１０１及び補助錠２０１が共に解錠位置にある状態（図１参照）から補助錠２０１の第２のサムターン２０２を完全に施錠方向に回転させた状態を示している（表１中、パターン１の「補助錠→施錠」、パターン２参照）。こうして第２のサムターン２０２を完全に施錠方向に回転させたとしても、ガードロック機構２１３は使用状態のままであるが、デッドボルト２０６が突出して施錠状態が維持される。この点については前述した通りなので、これ以上の説明は省略する。
【００６７】
これに対して、第２のサムターン２０２の回転に伴い第２のデッドハブ２０５が４５度回転した位置から更に４５度回転すると、第２の駆動片２１１の出現側押圧面２１１ａが第２の凹部２１０の出現側受面２１０ａを押すことで第２のデッドボルト２０６が駆動され、第２のデッドボルト２０６は解錠状態から施錠状態に状態遷移する。
【００６８】
また、第２のデッドハブ２０５の回転はラックアンドピニオン機構３３５を介して第２のリンク部材３０２ｂに伝達され、第２のリンク部材３０２ｂを下方に変位させる。ところが、この際、第２のリンク部材３０２ｂに設けられている当接面３３４は、第１のリンク部材３０２ａに設けられている当接部３３３から更に離反するのみである。したがって、第２のデッドハブ２０５の回転は第１の動力断続機構３３１において非伝達状態となり、第１のデッドハブ１０５に伝達されない。
【００６９】
図１２は、主錠１０１及び補助錠２０１のサムターン（第１のサムターン１０２、第２のサムターン２０２）の回転位置と共に、主錠１０１及び補助錠２０１が共に施錠位置にある状態（図７参照）から補助錠２０１の第２のサムターン２０２を４５度だけ解錠方向に回転させた状態を示している（表１中、パターン４の「補助錠→解錠」参照）。こうして第２のデッドハブ２０５が４５度回転すると、第２の駆動片２１１の没側押圧面２１１ｂが第２の凹部２１０の没側受面２１０ｂを押すことで第２のデッドボルト２０６が駆動され、第２のデッドボルト２０６は施錠状態から解錠状態に状態遷移する。
【００７０】
これに対して、第２のデッドハブ２０５の回転はラックアンドピニオン機構３３５を介して第２のリンク部材３０２ｂに伝達され、第２のリンク部材３０２ｂを上方に変位させる。この際、第２のリンク部材３０２ｂに設けられている当接面３３４は、第１のリンク部材３０２ａに設けられている当接部３３３に接しているので、第１のリンク部材３０２ａを押し上げる。ところが、主錠１０１が施錠状態である場合、第１のデッドハブ１０５の第１の駆動片１１１に設けられている可動ピン３５２が可動当接体３５３ａの可動当接面３５３ａ−１から脱落している（図７参照）。このため、第２のリンク部材３０２ｂの上昇に応じて第１のリンク部材３０２ａが押し上げられたとしても、第１のリンク部材３０２ａと第１のデッドハブ１０５との間の動力伝達が遮断される。したがって、第２のデッドハブ２０５の回転は第１のデッドハブ１０５に伝達されない。
【００７１】
図１３は、主錠１０１及び補助錠２０１のサムターン（第１のサムターン１０２、第２のサムターン２０２）の回転位置と共に、主錠１０１及び補助錠２０１が共に施錠位置にある状態（図７参照）から補助錠２０１の第２のサムターン２０２を完全に解錠方向に回転させた状態を示している（表１中、パターン４の「補助錠→解錠」、パターン３参照）。これにより、第２のデッドハブ２０５が更に４５度回転し、第２の凹部２１０と連設する円弧面２１０ｃは第２の駆動片２１１の没側押圧面２１１ｂと同一半径の弧に沿って形成されているため、第２の駆動片２１１が回転しても、第２の駆動片２１１は円弧面２１０ｃを摺動し、第２のデッドボルト２０６が駆動されない（無反応領域）。また、ガードアーム２１４が収納空間Ｓに収められる。
【００７２】
そして、第２のデッドハブ２０５の回転はラックアンドピニオン機構３３５を介して第２のリンク部材３０２ｂに伝達され、第２のリンク部材３０２ｂを更に上方に変位させる。この際、第２のリンク部材３０２ｂに設けられている当接面３３４は第１のリンク部材３０２ａに設けられている当接部３３３に接しているので、第１のリンク部材３０２ａを更に押し上げる。ところが、主錠１０１が施錠状態である場合、第１のデッドハブ１０５の第１の駆動片１１１に設けられている可動ピン３５２が可動当接体３５３ａの可動当接面３５３ａ−１から脱落している（図７参照）。このため、第２のリンク部材３０２ｂの上昇に応じて第１のリンク部材３０２ａが押し上げられたとしても、第１のリンク部材３０２ａと第１のデッドハブ１０５との間の動力伝達が遮断される。したがって、第２のデッドハブ２０５の回転は第１のデッドハブ１０５に伝達されない。
【００７３】
図１４は、主錠１０１及び補助錠２０１のサムターン（第１のサムターン１０２、第２のサムターン２０２）の回転位置と共に、主錠１０１及び補助錠２０１が共に施錠位置にある状態（図７参照）から補助錠２０１の第２のサムターン２０２を完全に解錠方向に回転させ、更に主錠１０１の第１のサムターン１０２を４５度だけ解錠方法に回転させた状態を示している（表１中、パターン３の「主錠→解錠」参照）。これにより、第１のデッドハブ１０５の第１の駆動片１１１が第１の凹部１０９内を押し、第１のデッドボルト１０６を駆動する。その結果、第１のデッドボルト１０６は解錠方向に変位する。
【００７４】
また、補助錠２０１の第２のサムターン２０２を完全に解錠方向に回転させると、第２のデッドハブ２０５の回転に応じて第２のリンク部材３０２ｂが上昇し、この第２のリンク部材３０２ｂに押されて第１のリンク部材３０２ａが押し上げられる。この際、主錠１０１が施錠状態であるため、第１のデッドハブ１０５の第１の駆動片１１１に設けられている可動ピン３５２が可動当接体３５３ａの可動当接面３５３ａ−１から脱落している（図７参照）。このため、第１のリンク部材３０２ａは、その可動当接面３５３ａ−１を可動ピン３５２に接触させることなく上昇する。その結果、可動ピン３５２は、可動当接体３５３ａの下方に位置付けられる。そこで、この状態で主錠１０１を解錠方法に回転させると、第１のデッドハブ１０５の回転に応じて可動ピン３５２が上昇する。上昇した可動ピン３５２は、可動当接体３５３ａの裏面側に位置する傾斜面３５３ａ−２に向かう。
【００７５】
図１５は、主錠１０１及び補助錠２０１のサムターン（第１のサムターン１０２、第２のサムターン２０２）の回転位置と共に、主錠１０１及び補助錠２０１が共に施錠位置にある状態（図７参照）から、補助錠２０１の第２のサムターン２０２を完全に解錠方向に回転させ、主錠１０１の第１のサムターン１０２を４５度の位置から更に解錠方法に回転させた状態を示している（表１中、パターン３の「主錠→解錠」参照）。これにより、第１のデッドボルト１０６は更に反時計方向に回転し、第１のデッドボルト１０６は更に解錠方向に変位する。そして、ここで重要なことは、第１のデッドハブ１０５の回転に応じて上昇した可動ピン３５２が可動当接体３５３ａの傾斜面３５３ａ−２に当接し、これによって可動当接体３５３ａが弾性部材３５６の付勢力に抗して奥に引っ込み、可動ピン３５２の移動軌跡上から退避する、ということである。その結果、上昇する可動ピン３５２は、可動当接体３５３ａを乗り越え、可動当接体３５３ａと固定当接体３５３ｂとからなる一対の当接体３５３の間の位置に復帰することになる。そして、可動ピン３５２が可動当接体３５３ａを乗り越えた瞬間、奥に引っ込んでいた可動当接体３５３ａは、弾性部材３５６に付勢されて元の位置に復帰する。
【００７６】
図１６は、主錠１０１及び補助錠２０１のサムターン（第１のサムターン１０２、第２のサムターン２０２）の回転位置と共に、主錠１０１及び補助錠２０１が共に施錠位置にある状態（図７参照）から、補助錠２０１の第２のサムターン２０２を完全に解錠方向に回転させ、主錠１０１の第１のサムターン１０２を完全に解錠方法に回転させた状態を示している（表１中、パターン３の「主錠→解錠」参照）。これにより、第１のデッドボルト１０６は更に反時計方向に回転し、第１のデッドボルト１０６は完全に解錠状態となる。この際、第１のデッドハブ１０５の回転に応じて上昇する可動ピン３５２は、固定当接体３５３ｂの固定当接面３５３ｂ−１に当接し、第１のリンク部材３０２ａを僅かに押し上げる。したがって、可動ピン３５２は、固定当接面３５３ｂ−１に当接した状態を維持する。
【００７７】
以上説明したように、本実施の形態の施解錠装置１１は、主錠１０１を施錠操作すると補助錠２０１も自動的に施錠することができる。これに対して、施錠されている主錠１０１、補助錠２０１を解錠する際には、両者非連動とすることができる。したがって、セキュリティ性を維持したまま正規の利用者の施錠のための操作手順を簡略化することができる。しかも、補助錠２０１は主錠１０１と非連動で施解錠することができるので、ガードロック機構２１３の採用を可能にすることができる。
【００７８】
また、当接体３５３を構成する一方の可動当接体３５３ａを、その可動当接面３５３ａから第１のリンク部材３０２ａの長手方向にオフセットした位置で回転自在に第１のリンク部材３０２ａに取り付けたので、第１のデッドハブ１０５の回転力に基づく大きな回転モーメントが可動当接体３５３ａに加わることを防止することができる。その結果、例えば、第１のリンク部材３０２ａを樹脂によって形成することも可能となり、部品コストの低減や全体の軽量化を図ることができる。
【００７９】
また、当接体３５３を構成する一方の可動当接体３５３ａの回転軸方向を、可動ピン３５２の回転軸方向と直交する方向にしたので、規定の円弧に沿って移動する可動ピン３５２の移動に可動当接体３５３ａが邪魔とならず、スペース効率を向上させて全体の小型化を図ることができる。
【００８０】
また、可動当接体３５３ａが可動ピン３５２の移動軌跡から退避する方向へ変位するに従い力を蓄えてその可動当接体３５３ａに元の位置への復帰力を与える弾性部材３５６を設けたので、変位した可動当接体３５３ａを元の位置に確実に復帰させることができ、動作の安定性を維持することができる。
【００８１】
また、当接体３５３を構成する一方の可動当接体３５３ａの可動当接面３５３ａ−１と反対側の面を傾斜面３５３ａ−２とし、この傾斜面３５３ａ−２の側からアクセスする可動ピン３５２を当接させることによって可動当接体３５３ａを可動ピン３５２の移動軌跡から退避する位置に変位させるようにしたので、可動当接体３５３ａの位置を確実に制御することができ、動作の安定性を維持することができる。
【００８２】
更に、第１のデッドハブ１０５に一体的に可動ピン３５２を設けたので、第１のデッドハブ１０５と第１のリンク部材３０２ａとの間の動力伝達機構を簡略化することができ、装置の簡略化及び小型化を図ることができる。
【００８３】
次いで、別の実施の一形態を図１７〜図１９に基づいて説明する。図１〜図１６に基づいて説明した前記実施の一形態と同一部分は同一符号で示し、説明も省略する。
【００８４】
図１７は、主錠１０１及び補助錠２０１のサムターン（第１のサムターン１０２、第２のサムターン２０２）の回転位置と共に、主錠１０１及び補助錠２０１が共に解錠位置にある状態を示している。本実施の形態が前記実施の形態（図１〜図１６）と相違する点は、第１のリンク部材３０２ａの構造、第１のリンク部材３０２ａと第２のリンク部材３０２ｂとの接離構造、第１のデッドハブ１０５に設けられた第１の駆動片１１１の構造、及び第２の動力断続機構３５１の一部をなす可動当接体３５３ａの構造である。
【００８５】
図１８は、主錠１０１を拡大して、動力断続機構３０３をなす第１のリンク部材３０２ａを示している。図１９は、第１のリンク部材３０２ａが有する第２の動力断続機構３５１を分解して示している。第１のリンク部材３０２ａは、二分割された金属部材によって形成されている。また、支持体３３２の当接面３３４は、コの字形をした支持体３３２の上片ではなく下片の上面に位置付けられている。そして、この当接面３３４に接離自在に当接するよう計画された第１のリンク部材３０２ａの当接部３３３は、平行に配置された金属ピンによって実現されている。更に、第１のデッドハブ１０５に設けられた第１の駆動片１１１は、駆動片１１０ａを有している。
【００８６】
次いで、可動当接体３５３ａは、第１のリンク部材３０２ａに回転自在に取り付けられた板状部材によって実現されている。つまり、可動当接体３５３ａは、第１のデッドハブ１０５の回転軸の軸方向と同一方向にして第１のリンク部材３０２ａに形成された支軸３７１に回転自在に取り付けられている（図１９参照）。そして、可動当接体３５３ａは、第１のリンク部材３０２ａに設けられたストッパ３７２によって位置規制され、水平よりも下方には回転しないようにされている。
【００８７】
このような構成において、可動当接体３５３ａは、ストッパ３７２に自重で当接し、ストッパ３７２から離反する方向に回転した場合、支軸３７１を中心として自重で回転し、ストッパ３７２に当接する元の位置に復帰する。このときに困るのが、主錠１０１及び補助錠２０１が共に施錠位置にある状態（図７参照）から補助錠２０１の第２のサムターン２０２を完全に解錠方向に回転させ、更に主錠１０１の第１のサムターン１０２を解錠方法に回転させた場合である（図１４〜図１６参照）。このような状況は、表１中、パターン３の「主錠→解錠」の場合に相当する。この際、第１のデッドハブ１０５の回転に応じて上昇した可動ピン３５２が可動当接体３５３ａの下面に当接し、更に可動ピン３５２が上昇すると可動当接体３５３ａが回転し、可動ピン３５２の移動軌跡上から退避する。これにより、上昇する可動ピン３５２は、可動当接体３５３ａを乗り越え、可動当接体３５３ａと固定当接体３５３ｂとからなる一対の当接体３５３の間の位置に復帰する。そして、可動ピン３５２が可動当接体３５３ａを乗り越えた瞬間、可動当接体３５３ａは支軸３７１を中心として自重で回転し、ストッパ３７２に当接する元の位置に復帰する。
【符号の説明】
【００８８】
１０１        主錠
１０２        第１のサムターン
１０５        第１のデッドハブ
１０６        第１のデッドボルト
２０１        補助錠
２０２        第２のサムターン
２０５        第２のデッドハブ
２０６        第２のデッドボルト
３０１        動力伝達機構
３０２        リンク
３０２ａ      第１のリンク部材
３０２ｂ      第２のリンク部材
３０３        動力断続機構
３３１        第１の動力断続機構
３５１        第２の動力断続機構
３５２        可動ピン（可動体）
３５３        当接体
３５３ａ      可動当接体（当接体）
３５３ａ−１  可動当接面（当接面）
３５３ｂ      固定当接体（当接体）
３５３ａ−２  傾斜面
３５６        弾性部材
【図１】
0005380635.tif 000003
【図２】
0005380635.tif 000004
【図３】
0005380635.tif 000005
【図４】
0005380635.tif 000006
【図５】
0005380635.tif 000007
【図６】
0005380635.tif 000008
【図７】
0005380635.tif 000009
【図８】
0005380635.tif 000010
【図９】
0005380635.tif 000011
【図１０】
0005380635.tif 000012
【図１１】
0005380635.tif 000013
【図１２】
0005380635.tif 000014
【図１３】
0005380635.tif 000015
【図１４】
0005380635.tif 000016
【図１５】
0005380635.tif 000017
【図１６】
0005380635.tif 000018
【図１７】
0005380635.tif 000019
【図１８】
0005380635.tif 000020
【図１９】
0005380635.tif 000021